(57)【要約】【課題】医療器具の蒸気滅菌中に生じる水分を効率よく排出することができ、また、蒸気滅菌中に医療器具を物理的な衝撃から十分に保護することのできる医療器具載置用マットを提供すること。【解決手段】医療器具を滅菌装置内で滅菌する際に、医療器具を載置して該医療器具が汚れたり傷ついたりしないように保護するための弾性材料からなる医療器具載置用マットであって、該医療器具載置用マットの医療器具載置面１０は多数のテーパー状の突起１１を有し、該医療器具載置用マットの医療器具載置面１０から反対側の面まで貫通する多数の通気孔１２を有し、該テーパー状の突起１１の数密度と該通気孔１２の数密度がほぼ等しいことを特徴とする医療器具載置用マット。【選択図】図２
0003189977.tif 000002
【実用新案登録請求の範囲】
【請求項１】
医療器具を滅菌装置内で滅菌する際に、医療器具を載置して該医療器具が汚れたり傷ついたりしないように保護するための弾性材料からなる医療器具載置用マットであって、該医療器具載置用マットの医療器具載置面は多数のテーパー状の突起を有し、該医療器具載置用マットの医療器具載置面から反対側の面まで貫通する多数の通気孔を有し、該テーパー状の突起の数密度と該通気孔の数密度がほぼ等しいことを特徴とする医療器具載置用マット。
【請求項２】
材質がシリコーンゴムである請求項１に医療器具載置用マット。
【請求項３】
材質が高引裂シリコーンゴムである請求項１に医療器具載置用マット。
【請求項４】
上記テーパー状の突起は、ある方向に一直線上に等間隔で配置されており、かつ、該方向と垂直な方向に一直線上に等間隔で配置されている請求項１ないし請求項３の何れかの請求項に記載の医療器具載置用マット。
【請求項５】
上記通気孔は、ある方向に一直線上に等間隔で配置されており、かつ、該方向と垂直な方向に一直線上に等間隔で配置されている請求項１ないし請求項４の何れかの請求項に記載の医療器具載置用マット。
【請求項６】
上記テーパー状の突起は、台座部を介して上記医療器具載置面に固着されている請求項１ないし請求項５の何れかの請求項に記載の医療器具載置用マット。
【請求項７】
上記テーパー状の突起の数密度と上記通気孔の数密度が、何れも１０ｃｍ四方当たり、１９０個以上４４０個以下である請求項１ないし請求項６の何れかの請求項に記載の医療器具載置用マット。
【請求項８】
上記テーパー状の突起の数密度と上記通気孔の数密度とが等しい請求項１ないし請求項７の何れかの請求項に記載の医療器具載置用マット。
【請求項９】
上記医療器具載置面の上記テーパー状の突起を有する領域は、縦方向に１０ｃｍ以上１００ｃｍ以下、横方向に１０ｃｍ以上１００ｃｍ以下である請求項１ないし請求項８の何れかの請求項に記載の医療器具載置用マット。
【考案の詳細な説明】
【技術分野】
【０００１】
本考案は、医療器具載置用マットに関し、特に、医療器具載置面から反対側の面まで貫通する多数の通気孔を有することにより、加熱水蒸気を通過し易くし、滅菌中に生じる水分の排出をし易くした医療器具載置用マットに関する。
【背景技術】
【０００２】
医療現場においては、様々な医療器具が使用されるが、安全のために医療器具の十分な滅菌が求められる。
【０００３】
医療器具の滅菌方法には、火炎滅菌、乾熱滅菌、蒸気滅菌のような加熱による滅菌方法；ガンマ線滅菌、高周波滅菌のような電磁波による滅菌方法；酸化エチレンガスを使用したガス滅菌、過酸化水素低温プラズマ滅菌のような化学作用を使用した滅菌方法；等が挙げられる。
このうち、オートクレーブ等による蒸気滅菌は、高圧下における高温状態の水や水蒸気を利用した滅菌方法で、有毒な化学物質等を用いず、短時間で滅菌でき、設備も簡素で済むことから、最も普遍的かつ用途の広い滅菌方法となっている。
【０００４】
医療器具は精密な機構を持つため、医療器具同士又は医療器具と装置との接触等が起こると、機能を果たし得なくなったり、接触によって生じた汚れ部分や傷部分が、感染性微生物の増殖の温床となったりしてしまう。
このため、滅菌中の装置の中に、医療器具を蒸気滅菌装置のステンレス等の網の上にそのまま載置するのではなく、シリコーンのような耐熱性の素材からできた多数の突起を持つマットを装置内に設置し、その上に医療器具を載置することで、医療器具同士又は医療器具と装置との接触による衝撃を防止することが行われている。
【０００５】
しかしながら、このようなマットを使用することで、マット上に水分が凝縮し、排出されずに蓄積してしまうという問題点があった。
このようなマット上の余分な水分は、滅菌後に新たに発生する微生物の繁殖の温床となってしまう。
【０００６】
特許文献１には、マットの数か所に凝縮水排出用開口部を開け、マットの裏側に支持リブを設けることによりマットを浮いた構造にし、水や水蒸気の循環効率を上げたマットが記載されている。特許文献２には、マットの数か所に穴を開け、マットの裏側に半球状の脚を設けることでマットを浮かせ、水や水蒸気の循環効率を上げたマットが記載されている。
しかしながら、これらの先行技術は、穴の数が少なく、局所的に凝縮水の滞留してしまう場所ができてしまい、凝縮した水分の排出の問題を解決できていない。
【０００７】
また、特許文献３には、網目状の素材を用い、多数のピンを設けることにより、水や水蒸気の循環効率を上げたマットが記載されているが、網目状の素材は強度が弱く、滅菌中に医療器具を物理的な衝撃から保護するという目的を達成できない可能性がある。
【０００８】
このように、従来技術では蒸気滅菌中に医療器具保護用マットに蓄積する水分を十分に排出することはできず、マットの構造には改善の余地があった。
【先行技術文献】
【特許文献】
【０００９】
【特許文献１】独国特許発明第１９７４０８４３号明細書
【特許文献２】米国特許第５０９８６７６号明細書
【特許文献３】米国特許第６０４８５０４号明細書
【考案の概要】
【考案が解決しようとする課題】
【００１０】
本考案は、上記背景技術に鑑みてなされたものであり、その課題は、医療器具の蒸気滅菌中に生じる水分を効率よく排出することができ、加熱水蒸気等の滅菌用気体を通過し易くし、また、蒸気滅菌中に医療器具を物理的な衝撃から十分に保護することのできる医療器具載置用マットを提供することにある。
【課題を解決するための手段】
【００１１】
本考案者は、上記の課題を解決すべく鋭意検討を重ねた結果、医療器具載置面に多数のテーパー状の突起を有する医療器具載置用マットに、医療器具載置面から反対側の面まで貫通する多数の通気孔を設け、テーパー状の突起の数密度と該通気孔の数密度をほぼ等しくすることによって、滅菌中に凝縮によって生じる水や水蒸気の循環効率が著しく改善され、マット上への凝縮水の滞留がなくなることを見出して、本考案を完成するに至った。
【００１２】
すなわち、本考案は、医療器具を滅菌装置内で滅菌する際に、医療器具を載置して該医療器具が汚れたり傷ついたりしないように保護するための弾性材料からなる医療器具載置用マットであって、該医療器具載置用マットの医療器具載置面は多数のテーパー状の突起を有し、該医療器具載置用マットの医療器具載置面から反対側の面まで貫通する多数の通気孔を有し、該テーパー状の突起の数密度と該通気孔の数密度がほぼ等しいことを特徴とする医療器具載置用マットを提供するものである。
【００１３】
また、本考案は、上記通気孔は、ある方向に一直線上に等間隔で配置されており、かつ、該方向と垂直な方向に一直線上に等間隔で配置されている上記の医療器具載置用マットを提供するものである。
【００１４】
更に、本考案は、上記テーパー状の突起は、台座部を介して上記医療器具載置面に固着されている上記の医療器具載置用マットを提供するものである。
【考案の効果】
【００１５】
本考案によれば、前記問題点を解消し、上記課題を解決し、医療器具を滅菌装置内で滅菌する際に、医療器具を物理的な衝撃から十分に保護することのできる医療器具載置用マットを提供することができる。
また、滅菌中に凝縮によって生じる水や水蒸気の通過効率や循環効率が著しく改善され、マット上への凝縮水の滞留がなくなり、また、水分等の乾燥むら（ドライスポット、ドライマーク）が医療器具に残ることもない。そのため、滅菌後に新たに発生する微生物の繁殖を防ぐことのできる医療器具載置用マットを提供することができる。
【図面の簡単な説明】
【００１６】
【図１】本考案の医療器具載置用マットの一例の斜視図である。
【図２】図１のＡ−Ａ部分拡大図である。
【図３】本考案の医療器具載置用マットの一例の医療器具載置面を上から見た図である。
【図４】図３のＢ−Ｂ部分拡大図である。
【図５】本考案の医療器具載置用マットの一例のテーパー状の突起を示す模式図（図３のＤ−Ｄ部分Ｃ−Ｃ断面拡大図）である。
【考案を実施するための形態】
【００１７】
以下、本考案について説明するが、本考案は、以下の具体的態様に限定されるものではなく、技術的思想の範囲内で任意に変形することができる。
【００１８】
本考案の医療器具載置用マットは、医療器具を滅菌装置内で滅菌する際に、医療器具が汚れたり傷ついたりしないように保護するための弾性材料からなる医療器具載置用マットである。
医療器具載置用マットの材質は、蒸気滅菌時における２００℃程度の加熱に耐えられるものであり、医療器具が傷つかないような弾性素材であれば特に限定はないが、シリコーンゴムが好ましく、高引裂シリコーンゴムが特に好ましい。
【００１９】
本考案の医療器具載置用マットの医療器具載置面１０は、図１〜５に示すように、多数のテーパー状の突起１１を有している。この多数のテーパー状の突起１１が存在することにより、医療器具を載置した際、又は、蒸気滅菌中に、医療器具同士又は医療器具と蒸気滅菌装置との接触による衝撃を防止することができる。
【００２０】
本考案の医療器具載置用マットは、図１〜５に示すように、医療器具載置面１０から反対側の面まで貫通する多数の通気孔１２を有している。この多数の通気孔１２を通じて、加熱水蒸気等の滅菌蒸気が通過し、蒸気滅菌中に凝縮した水分が、マット外に排出され、医療器具載置用マット中に凝縮水の滞留がなくなる。
【００２１】
テーパー状の突起１１と通気孔１２の数密度は、ほぼ等しくなっている。すなわち、十分な数の通気孔１２が、医療器具載置用マット１に存在する。
これにより、局所的に凝縮した水分が排出されずに滞留する場所が生じることなく、均一に水分を排出することができる。
【００２２】
医療器具載置用マットにおけるテーパー状の突起１１と通気孔１２の配置パターンは、テーパー状の突起１１と通気孔１２の数密度がほぼ等しければ（十分に凝縮水を排出できれば）特に限定はないが、テーパー状の突起１１は、ある方向に一直線上に等間隔で配置されており、該方向と垂直な方向に一直線上に等間隔で配置されていることが好ましい。通気孔１２も、ある方向に一直線上に等間隔で配置されており、該方向と垂直な方向に一直線上に等間隔で配置されていることが好ましい。
図４に示すように正方形格子状にテーパー状の突起１１が存在し、各々の格子の中心に通気孔１２が存在するものが特に好ましい。
【００２３】
また、テーパー状の突起１１は、ある方向に一直線上に等間隔で配置されており、該方向と６０°と１２０°の方向に一直線上に等間隔で配置されていることも好ましい。
通気孔１２も、ある方向に一直線上に等間隔で配置されており、該方向と６０°と１２０°の方向に一直線上に等間隔で配置されていることが好ましい。
この場合（図示せず）、正三角形の頂点にテーパー状の突起１１が存在し、各々の正三角形の中心に通気孔１２が存在するものが特に好ましい。
【００２４】
何れの場合も、テーパー状の突起１１と通気孔１２の数密度は等しくなるようにそれぞれ配置されていることが特に好ましい。
【００２５】
本考案の医療器具載置用マットが設置される蒸気滅菌装置には、様々な種類・大きさのものがあり、蒸気滅菌装置に応じて適切な大きさのマットが使用される。滅菌装置のマット設置スペースに対してマットが大き過ぎる場合は、マットを切断して一部を用いたり、逆に、滅菌装置のマット設置スペースに対してマットが小さ過ぎる場合は、２以上のマットを使用したりすることもある。
【００２６】
本考案の医療器具載置用マットは、医療器具載置面１０の実質的に全ての領域にテーパー状の突起１１及び通気孔１２が存在するのが好ましいが、加工のし易さを考慮して、図１〜４に示すように、例えば医療器具載置面１０の端にはテーパー状の突起１１及び通気孔１２が存在しない領域が存在してもよい。また、切断のし易さ等を考慮して、医療器具載置面１０の一部にテーパー状の突起１１及び通気孔１２が存在しない領域を設けてもよい。
【００２７】
医療器具載置面１０におけるテーパー状の突起１１を有する領域は、縦方向に１０ｃｍ以上１００ｃｍ以下であることが好ましく、２０ｃｍ以上７０ｃｍ以下であることがより好ましく、３０ｃｍ以上５０ｃｍ以下であることが特に好ましい。横方向には１０ｃｍ以上１００ｃｍ以下であることが好ましく、２０ｃｍ以上７０ｃｍ以下であることがより好ましく、３０ｃｍ以上５０ｃｍ以下であることが特に好ましい。
【００２８】
本考案の医療器具載置用マットの厚さは、強度的な問題や扱い易さの点から、０．５ｍｍ以上１０ｍｍ以下であることが好ましく、１ｍｍ以上５ｍｍ以下であることがより好ましく、２ｍｍ以上３ｍｍ以下であることが特に好ましい。
「医療器具載置用マットの厚さ」とは、テーパー状の突起１１及び通気孔１２が存在しない部分の厚さをいう。
【００２９】
テーパー状の突起１１は、直接医療器具載置面１０にそのまま固着されていてもよいが、台座部１１ａを介して医療器具載置面１０に固着されていることが好ましい。このような構造をとることにより、繰り返し使用した場合であっても、テーパー状の突起１１が医療器具載置面１０から剥離し難い。
【００３０】
テーパー状の突起１１の、医療器具載置面１０からの高さは、５ｍｍ以上３０ｍｍ以下であることが好ましく、７ｍｍ以上２０ｍｍ以下であることがより好ましく、１０ｍｍ以上１５ｍｍ以下であることが特に好ましい。
【００３１】
テーパー状の突起１１のテーパー先端部の直径は、１ｍｍ以上３ｍｍ以下であることが好ましく、１．３ｍｍ以上１．７ｍｍ以下であることがより好ましい。
テーパー状の突起１１の医療器具載置面１０に直接固着されているか台座部１１ａに固着されている部分の直径は、２ｍｍ以上５ｍｍ以下であることが好ましく、２．５ｍｍ以上３ｍｍ以下であることがより好ましい。
テーパー状の突起１１のテーパーの角度は、特に限定はないが、１°以上１０°以下が好ましく、３°以上７°以下がより好ましい。
テーパー状の突起１１の先端部は、丸くなっていてもよく、図２、図５に示したように矩形になっていてもよく、尖っていてもよい。
【００３２】
テーパー状の突起１１の数密度と上記通気孔１２の数密度は、何れも１０ｃｍ四方当たり、通常１００個以上５００個以下であり、１９０個以上４４０個以下であることが好ましく、２２０個以上３８０個以下であることがより好ましく、２６０個以上３２０個以下であることが特に好ましく、２７０個以上３１０個以下であることが更に好ましい。
上記好ましい範囲であると、前記本考案の効果を発揮し易い。
【００３３】
通気孔１２の形状は、水や加熱水蒸気が効率よく通過できるものであれば特に限定はなく、円、四角形、三角形等が挙げられるが、加工のし易さから円であることが好ましい。
【００３４】
通気孔１２の直径は、滅菌する医療器具の種類にもよるが、０．５ｍｍ以上１０ｍｍ以下であることが好ましく、１ｍｍ以上５ｍｍ以下であることがより好ましく、２ｍｍ以上３ｍｍ以下であることが特に好ましい。
通気孔１２の直径が大き過ぎると、サイズの小さな医療器具や細い形状の医療器具がマットから脱落するおそれがある。逆に、通気孔１２の直径が小さ過ぎると、水や水蒸気の循環に支障を来たし、本考案の課題を達成することができない可能性がある。
【００３５】
通気孔１２の数密度は、テーパー状の突起１１の数密度とほぼ等しくなっており、１個／ｃｍ２以上５個／ｃｍ２以下であることが好ましく、２個／ｃｍ２以上４個／ｃｍ２以下であることがより好ましい。ここで、「ほぼ等しくなっている」とは、±１０％以内の差で等しくなっていることを言う。
通気孔１２の数密度は、前記したテーパー状の突起１１の数密度と丁度等しくなっていることが好ましい。
通気孔１２の数密度は、テーパー状の突起１１の数密度とほぼ等しくなっていることで、凝縮水が滞留することなく十分に排出することができ、前記本発明の効果を特に奏するようになる。
【００３６】
本考案の医療器具載置用マット１を用いて蒸気滅菌される医療器具は、蒸気に耐えられれば特に限定はないが、メス、剪刀、ピンセット、鉗子、針、持針器、鉤等が例示できる。
【産業上の利用可能性】
【００３７】
本考案の医療器具載置用マットは、最も普及した滅菌方法である蒸気滅菌の際に使用されるものであり、滅菌の際に生じる凝縮水の問題等を解消したものであり、医療装置分野、医療分野等に広く利用されるものである。
【符号の説明】
【００３８】
１      医療器具載置用マット
１０    医療器具載置面
１１    突起
１１ａ  台座部
１２    通気孔
【図１】
0003189977.tif 000003
【図２】
0003189977.tif 000004
【図３】
0003189977.tif 000005
【図４】
0003189977.tif 000006
【図５】
0003189977.tif 000007